(57)【要約】【課題】所定期間における波形測定装置で得られた計測結果の時系列データを離れた場所の端末のモニタに迅速に表示すことを可能とする計測システムを実現すること。【解決手段】  測定対象の計測を行う計測手段から取得する計測データに基づいて、波形描画された表示画像を前記計測手段と別の場所で表示する計測システムにおいて、前記計測データに基づき前記波形描画された表示画像の動画像を生成する動画像生成手段と、前記動画像を圧縮して映像ストリームに変換する映像ストリーム生成手段と、前記映像ストリームを配信する配信手段と、を備えたことを特徴とする。【選択図】図１
2011174802.tif 000002
【特許請求の範囲】
【請求項１】
測定対象の計測を行う計測手段から取得する計測データに基づいて、波形描画された表示画像を前記計測手段と別の場所で表示する計測システムにおいて、
前記計測データに基づき前記波形描画された表示画像の動画像を生成する動画像生成手段と、
前記動画像を圧縮して映像ストリームに変換する映像ストリーム生成手段と、
前記映像ストリームを配信する配信手段と、
を備えたことを特徴とする計測システム。
【請求項２】
受信した前記映像ストリームに基づき前記計測結果が波形描画された表示画像を動画で表示する表示手段を備えることを特徴とする計測システム。
【請求項３】
前記動画像生成手段は、
複数の波形を表示する表示画像を生成し、これらの波形のうち少なくともいずれかのみを動画とする動画像を生成することを特徴とする請求項１または２記載の計測システム。
【請求項４】
前記動画像生成手段は、
前記表示画像に描画される波形の振幅値または分析値の動画像を生成することを特徴とする請求項１〜３のいずれかに記載の計測システム。
【請求項５】
前記動画像生成手段は、
前記振幅値または前記分析値のみを動画とする動画像を生成することを特徴とする請求４に記載の計測システム。
【請求項６】
予め定められたビットレートで前記映像ストリームの生成を要求するビットレート設定手段を備え、
前記映像ストリーム生成手段は、前記ビットレートに基づき前記動画像を映像ストリームに変換することを特徴とする請求項１〜５のいずれかに記載の計測システム。
【請求項７】
前記表示手段により表示される動画のうち、所望の波形、前記振幅値または前記分析値を選択してこれらの前記映像ストリームを要求する動画選択手段を備えることを特徴とする請求項４〜６のいずれかに記載の計測システム。
【請求項８】
前記計測手段の周辺の音または前記動画像の音声解説を入力する音声入力手段を備え、
前記映像ストリーム生成手段は、
前記動画像と前記音声入力手段により入力された音声とを同期させて圧縮し前記映像ストリームに変換することを特徴とする請求項１〜７のいずれかに記載の計測システム。
【発明の詳細な説明】
【技術分野】
【０００１】
本発明は、測定対象の計測を行う計測手段から取得する計測データに基づいて、波形描画された表示画像を計測手段と別の場所（たとえば計測手段から隔離した場所）で表示する計測システムに関し、特に所定期間における波形測定装置で得られた計測結果の時系列データを離れた場所の端末のモニタに迅速に表示すことを可能とする計測システムに関する。
【背景技術】
【０００２】
従来から、たとえば車両の走行試験やエンジンの運転試験など、多数の測定点の物理量を同時に測定収集して解析処理するのにあたり、情報処理装置とオシロスコープがイーサネット(登録商標)やＵＳＢなどのネットワーク、接続線を介して接続された計測システムが用いられている。
具体的には、通信手段を介して情報処理装置と計測手段の一例であるオシロスコープなどの波形測定装置が接続された、情報処理装置のモニタに計測結果の静止画像を連続して表示する計測システムが従来から検討されている。
【０００３】
図３は、従来の計測システムの一例を示すブロック図である。図３において、情報処理装置１０は、イーサネット(登録商標)やＵＳＢなどの接続線２０を介してオシロスコープなどの波形測定装置３０と接続されている。
【０００４】
情報処理装置１０は、主に、ユーザー（オペレータ）の操作入力を受け付けるウィンドウ上のツールバーなどの操作手段１１と、操作手段１１の指示に基づき波形測定装置３０からの計測結果の静止画像をモニタなどに表示する表示手段１２と、接続線２０を介して波形測定装置３０と静止画像データの送信要求コマンド（要求情報）の送信、静止画像データの受信を行う通信手段１３と、主に波形測定装置３０からの静止画像情報を記憶する記憶手段１４と、各手段の動作を制御し情報処理装置１０として動作させる演算制御手段１５などから構成される。
【０００５】
波形測定装置３０は、主に測定対象の物理量を測定する計測手段３１、計測手段３１の計測データを格納するハードディスクなどの記憶手段３２、接続線２０を介して静止画像データの送信要求コマンドの受信、静止画像データの授受を行う波形測定装置３０に付加される通信手段３３、主に送信要求コマンドで指定された静止画像を表示手段１２で表示可能とする静止画像データを生成し、通信手段３３を制御して静止画像データの送信を行う演算制御手段３４などで構成されている。
【０００６】
なお、計測手段３１には、電圧、電流、温度、圧力、歪み、回転などの測定対象物理量に応じた各種のセンサが接続される。
【０００７】
図４は、図３の計測システムの動作フロー図であり、図４のステップＳＰ１０１において、オペレータが情報処理装置１０の表示手段１２に波形測定装置３０で取得した静止画像を連続して表示するために、操作手段１１に静止画像の表示のためのリクエスト情報を入力する。
【０００８】
ステップＳＰ１０２において、情報処理装置１０の演算制御手段１５は、リクエスト情報が入力されると、接続線２０を介して波形測定装置３０の通信手段３３に静止画像を連続して表示するための（予め定められた）送信要求コマンド生成し、通信手段１３を制御して送信要求コマンドを送信する。
【０００９】
ステップＳＰ１０３において、波形測定装置３０に付加されている通信手段３３は、送信要求コマンドを受信すると波形測定装置３０の演算制御手段３４に当該コマンドを伝達し、演算制御手段３４は、記憶手段３２に記憶されている計測データを読み出してこれらの計測データに基づき、情報処理装置１０の表示手段１２にて静止画像として表示される静止画像データを生成する。
【００１０】
ステップＳＰ１０４において、波形測定装置３０の演算制御手段３４は、通信手段３３を制御して生成された静止画像を送信する。通信手段３３は、接続線２０を介して情報処理装置１０に静止画像を送信する。
【００１１】
ステップＳＰ１０５において、情報処理装置１０の表示手段１２は、受信した静止画像データに基づき、静止画像をモニタなどに表示する。
【００１２】
ステップＳＰ１０６において、ユーザーが情報処理装置１０の表示手段１２に静止画像の表示の停止をするための停止リクエスト情報が入力されなければ、ステップＳＰ１０２に戻り、停止リクエスト情報が入力されるとステップＳＰ１０７に移行する。
【００１３】
ステップＳＰ１０７において、情報処理装置１０の演算制御手段１５は、停止リクエスト情報が入力されると送信要求コマンドの生成（発行）、送信を停止する。
【００１４】
この結果、従来の計測システムは、測定対象の計測を行う計測手段から取得する計測データに基づいて波形描画された表示画像を表示し、計測データに応じた制御を行うことができる。
【００１５】
このような計測システムに関連する先行技術文献として下記の特許文献１がある。
【先行技術文献】
【特許文献】
【００１６】
【特許文献１】特開２００９−２８１８７２号公報
【発明の概要】
【発明が解決しようとする課題】
【００１７】
しかしながら、従来の計測システムでは、波形測定装置３０は、情報処理装置１０からの送信要求コマンドを受信してから静止画像データを生成するので、測定された静止画像の更新レートを速くすることが困難であるという問題点があった。
すなわち更新レートが長いと表示されない時間での波形変化を観測することができず精密に測定結果を把握することが出来ないという問題点があった。
【００１８】
また、従来の計測システムでは、波形測定装置３０が情報処理装置１０のモニタ上に表示できる静止画像の一枚分の静止画像データを送信しているので、言い換えれば、モニタに表示できる画像を一枚ずつでデータ送信しているので、大量枚数の画像取得では、ステップＳＰ１０２、１０３における、送信要求コマンドの生成、伝達に要する時間が無駄となってしまうという問題点があった。
【００１９】
また、従来の計測システムでは、接続線２０の輻輳などの状況にもよるが、静止画像の更新周期が５００ｍｓ（ミリ秒）となり、更新レートが長く、表示されない時間での波形変化を観測することができず精密に測定結果を把握することが出来ないという問題点があった。
【００２０】
本発明は上述の問題点を解決するものであり、その目的は、所定期間における波形測定装置で得られた計測結果の時系列データを離れた場所の端末のモニタに迅速に表示すことを可能とする計測システムを実現することにある。
【課題を解決するための手段】
【００２１】
このような課題を解決するために、本発明のうち請求項１記載の発明は、
測定対象の計測を行う計測手段から取得する計測データに基づいて、波形描画された表示画像を前記計測手段と別の場所で表示する計測システムにおいて、
前記計測データに基づき前記波形描画された表示画像の動画像を生成する動画像生成手段と、
前記動画像を圧縮して映像ストリームに変換する映像ストリーム生成手段と、
前記映像ストリームを配信する配信手段と、
を備えたことを特徴とする計測システムである。
【００２２】
請求項２記載の発明は、請求項１記載の計測システムにおいて、
受信した前記映像ストリームに基づき前記計測結果が波形描画された表示画像を動画で表示する表示手段を備えることを特徴とする。
【００２３】
請求項３記載の発明は、請求項１または２記載の計測システムにおいて、
前記動画像生成手段は、
複数の波形を表示する表示画像を生成し、これらの波形のうち少なくともいずれかのみを動画とする動画像を生成することを特徴とする。
【００２４】
請求項４記載の発明は、請求項１〜３記載のいずれかに記載の計測システムにおいて、
前記動画像生成手段は、
前記表示画像に描画される波形の振幅値または分析値の動画像を生成することを特徴とする。
【００２５】
請求項５記載の発明は、請求項４に記載の計測システムにおいて、
前記動画像生成手段は、
前記振幅値または前記分析値のみを動画とする動画像を生成することを特徴とする。
【００２６】
請求項６記載の発明は、請求項１〜５のいずれかに記載の計測システムにおいて、
予め定められたビットレートで前記映像ストリームの生成を要求するビットレート設定手段を備え、
前記映像ストリーム生成手段は、前記ビットレートに基づき前記動画像を映像ストリームに変換することを特徴とする。
【００２７】
請求項７記載の発明は、請求項４〜６のいずれかに記載の計測システムにおいて、
前記表示手段により表示される動画のうち、所望の波形、前記振幅値または前記分析値を選択してこれらの前記映像ストリームを要求する動画選択手段を備えることを特徴とする。
【００２８】
請求項８記載の発明は、請求項１〜７のいずれかに記載の計測システムにおいて、
前記計測手段の周辺の音または前記動画像の音声解説を入力する音声入力手段を備え、
前記映像ストリーム生成手段は、
前記動画像と前記音声入力手段により入力された音声とを同期させて圧縮し前記映像ストリームに変換することを特徴とする。
【発明の効果】
【００２９】
本発明であれば、計測データに基づき波形描画された表示画像の動画像を生成する動画像生成手段と、動画像を圧縮して映像ストリームに変換する映像ストリーム生成手段と、映像ストリームを配信する配信手段を備えたことにより、所定期間における計測結果の時系列データを迅速に表示することができる。
【００３０】
また本発明であれば、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備えたことにより、所定期間における波形測定装置で得られた計測結果の時系列データを離れた場所の端末のモニタに迅速に表示することができる。
また、本発明の計測システムであれば、従来の計測システムでの静止画像の送受による計測結果の取得における送信要求コマンドの生成、伝達に要する無駄な時間を削減することができ、精密に測定結果を把握することが出来る点で有効である。
【００３１】
また本発明であれば、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備え、動画像生成手段は、複数の波形を表示する表示画像を生成し、これらの波形のうち少なくともいずれかのみを動画とする動画像を生成することを特徴とすることにより、波形を描画している情報処理装置の表示画面にて必要な解像度を確保することができ表示画面（測定画面）の可読性を向上させることができる。
具体的には、複数の情報処理装置が接続線２０を介して波形測定装置６０と接続されているとき、第１の情報処理装置ではチャンネル１の波形のトレースのみの動画像を表示させ、第２の情報処理装置では、分析値（ほか、メジャー値など）のみの動画像を表示させることにより、波形を描画している第１の情報処理装置の表示画面にて必要な解像度を確保することができ表示画面（測定画面）の可読性を向上させることができる。
【００３２】
また本発明であれば、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段と、計測手段の周辺の音または動画像の音声解説を入力する音声入力手段を備え、映像ストリーム生成手段は、動画像と音声入力手段により入力された音声とを同期させて圧縮し前記映像ストリームに変換することを特徴とすることにより、ユーザーの解説と動画像を同期して配信することにより遠隔地でモニタしているユーザーの理解を助けることができる点で有効である。
【００３３】
また本発明であれば、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備え、映像ストリーム生成手段が接続される通信回線の帯域に応じて予め定められたビットレートで映像ストリームの生成することを特徴とすることにより、より安定した映像ストリーミングコンテンツを視聴することが可能となり、従来のように表示されない時間での波形変化を観測することができず精密に測定結果を把握することが出来ないという問題点を解決できる点で有効である。
【図面の簡単な説明】
【００３４】
【図１】本発明に係る計測システムの一実施例を示す構成図である。
【図２】図１の計測システムの動作フロー図である。
【図３】従来の計測システムの一例を示すブロック図である。
【図４】図３の計測システムの動作フロー図である。
【発明を実施するための形態】
【００３５】
本発明に係る計測システムは、計測データに基づき波形描画された表示画像の動画像を生成する動画像生成手段と、動画像を圧縮して映像ストリームに変換する映像ストリーム生成手段と、映像ストリームを配信する配信手段と、を備えたことにより、所定期間における計測結果の時系列データの表示の迅速化を図るものである。
【００３６】
すなわち本発明は、従来技術のように計測結果の波形描画がなされた静止画像を１枚ずつ要求し、表示するのではなく、波形測定装置に記録された計測データを動画像として要求し、表示する、言い換えれば、静止画像を一気に１秒間に３０から６０枚めくる様に要求し、表示することにより、所定期間における計測結果の時系列データの表示の迅速化を図るものである。
【００３７】
＜第１の実施例＞
（構成の説明）
図１は、本発明に係る計測システムの一実施例を示す構成図であり図３と共通する部分には同一の符号を付けて適宜説明を省略する。
図３との相違点は、主に計測データに基づき波形描画された表示画像の動画像を生成する動画像生成手段と、動画像を圧縮して映像ストリームに変換する映像ストリーム生成手段と、映像ストリームを配信する配信手段を備える点とが相違する。
ここで映像ストリームとは、ある一定の通信速度を持つ動画データ、動画情報であって、たとえばＭＰＥＧ（Moving Picture Experts Group）などの動画規格に適合した動画データである。
【００３８】
図１において、本発明の計測システム１００は、情報処理装置５０と、接続線２０と、波形測定装置６０とから構成される。
情報処理装置５０は、イーサネット(登録商標)などのネットワークやＵＳＢなどの接続線２０を介してオシロスコープなどの波形測定装置６０と接続されている。
【００３９】
波形測定装置６０は、外部入力される電圧や温度等のアナログ信号を所定のサンプルレートでサンプリングしてデジタル変換し、そのデジタルデータ（計測データ）を内部に設けられたアクイジションメモリにリアルタイムに格納する機能（アクイジション機能）及び計測データを波形描画するための表示データ（ＰＰ圧縮データ）を生成する機能を有している。
【００４０】
情報処理装置５０は、接続線２０を介して波形測定装置６０から計測データ及び表示データを読み出し、計測データを内部に設けられたハードディスク等の記録媒体にリアルタイムに記録すると共に、表示データを基にモニタ画面上において波形描画を行う機能を有している。
【００４１】
情報処理装置５０は、主に、ユーザー（オペレータ）の操作入力を受け付ける操作手段５１と、操作手段５１の指示に基づき波形測定装置６０からの計測結果の動画像をモニタなどに表示する表示手段５２と、接続線２０を介して波形測定装置６０による測定データに基づく波形描画などの動画像データの映像ストリームの送信要求コマンド（要求情報）の送信、または、動画像データの映像ストリームの受信を行う通信手段５３と、主に波形測定装置６０からの動画像データの映像ストリームまたは動画像データを記憶する記憶手段５４と、各手段の動作を制御し情報処理装置５０として動作させる演算制御手段５５などから構成される。
【００４２】
また情報処理装置５０は、表示手段５２により表示される動画のうち、所望の波形、波形の振幅値または分析値を選択してこれらの映像ストリームを要求する動画選択手段５６も備えるものでもよい。
分析値は、たとえば波形測定装置６０の演算制御手段６４により、各チャンネルにおける波形の各振幅値と予め設定したしきい値とを比較して求められるロジックレベル（ロウレベル、ハイレベルなど）などがある。
【００４３】
波形測定装置６０は、主に、測定対象の物理量を測定する計測手段６１と、計測手段６１の計測データを格納するハードディスクなどの記憶手段６２と、接続線２０を介して動画像データの映像ストリームまたは動画像データの送信要求コマンドの受信、動画像データの映像ストリームやその他静止画像データなどの各種データの授受を行う波形測定装置６０に付加される通信手段６３と、主に各手段の動作を制御し波形測定装置６０として動作させる演算制御手段６４と、計測データに基づき波形描画され情報処理装置５０の表示手段５２で表示可能とする表示画像の動画像データを生成する動画像生成手段６５と、動画像生成手段６５で生成された動画像を圧縮して映像ストリームに変換する映像ストリーム生成手段６６と、映像ストリーム生成手段６６により変換された映像ストリームを配信する配信手段の一例である動画配信手段６７と、予め定められたビットレートで映像ストリーム生成手段６６に映像ストリームの生成を要求するビットレート設定手段６８などで構成されている。
【００４４】
また波形測定装置６０は、波形測定装置６０の周辺の音声を入力する音声入力手段６９も備えるものでもよく、この場合、映像ストリーム生成手段６６は、動画像と波形測定装置６０の周辺の音声とを同期させて圧縮し映像ストリームに変換するものでもよい。
【００４５】
（接続・配置関係の説明）
情報処理装置５０の通信手段５３と波形測定装置６０の通信手段６３とは、接続線２０を介して相互に接続され、送信要求コマンドの送受、動画像データの送受をするための通信を行う。
情報処理装置５０の演算制御手段５５は、バスなどの接続線を介して、操作手段５１、表示手段５２、通信手段５３、記憶手段５４、動画選択手段５６と相互に接続される。
表示手段５２は記憶手段５４と接続され、記憶手段５４に記憶されている波形測定装置６０から受信した映像ストリームを読み出し、モニタなどに波形描画された計測結果の表示画面を表示する。
【００４６】
波形測定装置６０の演算制御手段６４は、バスなどの接続線を介して、計測手段６１、記憶手段６２、通信手段６３、動画像生成手段６５、映像ストリーム生成手段６６、動画配信手段６７、ビットレート設定手段６８、音声入力手段６９と相互に接続される。
動画生成手段６５は、記憶手段６２と接続され、記憶手段６２から計測データを読み出し動画像データを生成して記憶手段６２に記憶する。
【００４７】
波形測定装置６０の映像ストリーム生成手段６６は、記憶手段６２と接続され、記憶手段６２から動画像データを読み出し映像ストリームに変換する。
波形測定装置６０の動画配信手段６７は、通信手段６３と接続され、通信手段６３を制御して映像ストリームを配信する。
波形測定装置６０のビットレート設定手段６８は、映像ストリーム生成手段６６と接続され、接続線２０の帯域の状態に応じたビットレートを設定したビットレート設定情報を映像ストリーム生成手段６６に送信する。
【００４８】
（主な構成要素の説明）
情報処理装置５０の操作手段５１は、たとえば、キーボード、マウス等であり、ユーザー（オペレータ）の操作入力をウィンドウ上のツールバーなどを介して受け付ける。
また、操作手段５１は、ユーザーから（たとえば表示手段５２を介して）映像ストリームまたは動画像データの取得を要求する「リクエスト情報」、動画像データの取得の停止を要求する「停止リクエスト情報」が入力される。
さらに、操作手段５１は、ユーザーから、表示手段５２により表示される動画のうち、所望の波形（たとえばチャンネル１、チャンネル２の波形）、振幅値または分析値などのユーザーが動画表示を所望する計測データが選択入力される。
【００４９】
情報処理装置５０の表示手段５２は、波形測定装置６０から受信した映像ストリームまたは動画像データに基づき、波形測定装置６０による測定データに基づく波形描画などの動画像を、例えばＣＲＴ（Cathode Ray Tube）ディスプレイ、ＬＣＤ（液晶モニタ, liquid crystal monitor）等のモニタ部に表示する。
すなわち、情報処理装置５０の表示手段５２は、測定対象の計測を行う波形測定装置６０の計測手段６１から取得する計測データに基づいて、波形描画された表示画像を波形測定装置６０と別の場所で表示する。
【００５０】
情報処理装置５０の通信手段５３は、接続線２０を介して波形測定装置６０と静止画像データの送信要求コマンド（要求情報）の送信、静止画像データの受信を行う。
【００５１】
情報処理装置５０の記憶手段５４は、ハードディスク、ＲＡＭ（Random Access Memory）やＲＯＭ（Read Only Memory）などであり、波形測定装置６０からの動画像データの映像ストリームまたは動画像データ、情報処理装置５０として動作するためのプログラムやアプリケーションなどを記憶する。
【００５２】
情報処理装置５０の演算制御手段５５は、各手段の動作を制御するＣＰＵ（Central Processing Unit）などからなるものであって、各手段を制御して波形測定装置６０から映像ストリームまたは動画像データを取得し、波形測定装置６０が取得して計測結果を、波形等を描画した表示画面を動画像として表示させる。
また演算制御手段５５は、操作手段５１を介してリクエスト情報が入力されると、接続線２０を介して波形測定装置６０の通信手段６３に動画像を取得するための（予め定められた）送信要求コマンド生成し、通信手段５３を制御して送信要求コマンドを送信する。
【００５３】
情報処理装置５０の動画選択手段５６は、操作手段５１を介してユーザーから表示手段５２により表示される動画のうち、所望の波形、振幅値または分析値などのユーザーが動画表示を所望する計測データが選択されると、映像ストリームまたは動画像データの取得が選択された各種計測データ（波形、振幅値または分析値）のこれらの映像ストリームを要求する送信要求コマンドを生成し、通信手段５３を制御して波形測定装置６０に送信する。
【００５４】
なお演算制御手段５５は、記憶手段５４に格納されているＯＳなどを起動して、このＯＳ上で格納されたプログラムを読み出し実行することにより各手段または機器全体を制御し、情報処理装置５０固有の動作を行う。このとき記憶手段５４は、演算制御手段５５によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
また、上述の各手段は、演算制御手段５５が記憶手段５４に格納されているＯＳなどを起動して、このＯＳ上で格納されたプログラムやアプリケーションを読み出し実行することにより制御されるものでもよい。
また、上述の各手段はバスにより相互に接続されるようなそれぞれ独立した機器から構成されるものであってもよい。
【００５５】
波形測定装置６０の計測手段６１は、主に、測定対象の物理量を測定し、測定対象から入力される電圧や温度等のアナログ信号を所定のサンプルレートでサンプリングしてデジタル変換し、そのデジタルデータ（計測データ）を記憶手段６２に記憶する。
【００５６】
波形測定装置６０の記憶手段６２は、ハードディスク、ＲＡＭやＲＯＭなどであり、計測手段６１からの計測データ、動画像データ、その映像ストリームデータ、波形測定装置６０として動作するためのプログラムやアプリケーションなどを記憶する。
また記憶手段６２は、情報処理装置５０の識別情報（たとえば、波形測定装置６０と情報処理装置５０とがネットワーク（接続線２０）を介して接続されているときは、ＩＰアドレスなど）を記憶する。
記憶手段６２は、計測手段６１からの計測データを記憶する時の記録データサイズは、サンプリングインターバルや計測チャネル数等の条件によって変化するものでもよい。
【００５７】
通信手段６３は、波形測定装置６０に付加され、接続線２０を介して情報処理装置５０との設定データや計測データ、動画像データ（表示データ）の送受信を行うためのインタフェースとして機能する。
【００５８】
波形測定装置６０の演算制御手段６４は、各手段の動作を制御するＣＰＵ（Central Processing Unit）などからなるものであって、各手段の動作を制御し波形測定装置６０として動作させる。
【００５９】
波形測定装置６０の動画像生成手段６５は、記憶手段６２の計測データに基づき、波形描画され表示手段５２で表示可能とする表示画像の動画像データをたとえば一定周期ごとに生成し記憶手段６２に記憶する。
ここで動画像生成手段６５は、記憶手段に記憶されている波形などの計測データを「静止画像」へ変換し、「時間情報」と関連付けて記憶し、これらを繋げて動画として動画像データを生成する。
【００６０】
波形測定装置６０の映像ストリーム生成手段６６は、動画像生成手段６５で生成された動画像データを圧縮して映像ストリームに変換する。
具体的には、映像ストリーム生成手段６６は、接続線２０（広域通信回線など）の回線品質に応じて動画像データを圧縮し、解像度、フレームレート、色数を減じ、たとえばＭＰＥＧ（Moving Picture Experts Group）などの動画規格に適合した映像ストリームを生成する。
また、映像ストリーム生成手段６６は、記憶手段６２に記憶されている計測データに基づき生成された動画像データと記憶手段６２に記憶されている音声入力手段６９から音声情報（動画像の音声解説）とを同期させて圧縮し映像ストリームに変換してもよい。
【００６１】
動画配信手段６７は、記憶手段６２に記憶されている情報処理装置５０の識別情報に基づき、接続線２０を介して映像ストリーム生成手段６６により変換された映像ストリームを配信する。
また動画配信手段６７は、情報処理装置５０からの要求（ユーザーにより入力される動画像データの取得を要求するリクエスト情報、動画像データの取得の停止を要求する停止リクエスト情報）に従って、映像ストリームの配信先を管理し映像を配信する。
【００６２】
ビットレート設定手段６８は、予め定められたビットレートで映像ストリーム生成手段６６に映像ストリームの生成を要求するべくビットレート情報を含む要求情報を送信し、この場合、映像ストリーム生成手段６６は、受信したビットレート設定手段６８からの要求情報に基づき当該ビットレートにより映像ストリームを生成する。
【００６３】
音声入力手段６９は、マイクなどであって、波形測定装置６０の周辺の音を収集し、記憶手段６２にその音声データを記憶する。また、音声入力手段６９は、ユーザー（オペレータ）からの動画像の音声解説が入力され、記憶手段６２にその音声情報を記憶するものでもよい。
【００６４】
なお演算制御手段６４は、記憶手段６２に格納されているＯＳなどを起動して、このＯＳ上で格納されたプログラムを読み出し実行することにより各手段または機器全体を制御し、波形測定装置６０固有の動作を行う。このとき記憶手段６２は、演算制御手段６４によって実行されるプログラムやアプリケーションをプログラム格納エリアに展開し、入力されたデータや、プログラムやアプリケーションの実行時に生じる処理結果などのデータをワークエリアに一時的に記憶するものであってもよい。
また、上述の各手段は、演算制御手段６４が記憶手段６２に格納されているＯＳなどを起動して、このＯＳ上で格納されたプログラムやアプリケーションを読み出し実行することにより制御されるものでもよい。
また、上述の各手段はバスにより相互に接続されるようなそれぞれ独立した機器から構成されるものであってもよい。
【００６５】
（動作説明）
図２は図１の計測システムの動作フロー図である。
図２のステップＳＰ２０１において、操作手段５１は、ユーザー（オペレータ）からの情報処理装置５０の表示手段５２に波形測定装置６０で取得した動画像を表示するためのリクエスト情報が入力される。
このとき操作手段５１は、表示手段５２により表示される動画のうち、所望の波形、振幅値または分析値などのユーザーが動画表示を所望する計測データが選択入力されるものでもよい。
【００６６】
図２のステップＳＰ２０２において、情報処理装置５０の演算制御手段５５は、リクエスト情報が入力されると、接続線２０を介して波形測定装置６０の通信手段６３に動画像を表示するための（予め定められた）送信要求コマンド生成し、通信手段５３を制御して送信要求コマンドを送信する。
このとき情報処理装置５０の演算制御手段５５は、映像ストリーム生成にあたってのビットレートの設定情報（以下、ビットレート設定情報という）を生成し、これを送信要求コマンドとあわせて、通信手段５３を制御して送信するものでもよい。
【００６７】
図２のステップＳＰ２０３において、波形測定装置６０の演算制御手段６４は、情報処理装置５０から送信要求コマンド等を受信すると、動画像生成手段６５を制御して動画像データを生成する。また動画像生成手段６５は、一定周期ごとに生成し動画像データを生成する。
具体的には、動画像生成手段６５は、記憶手段６２に記憶されている計測データを読み出し、これらの計測データに基づいて情報処理装置５０の表示手段５２にて動画像として表示される、たとえば波形描画された動画像データを生成する。
動画像生成手段６５は、たとえば、解像度１０２４×７６８、色数１６００万色、フレームレート３０ｆｐｓ（frame per second）で、無圧縮では５６６ＭＢＰＳ（megabit per second）、７０．７megabyte/second 程度の帯域を有する動画像データを生成するものでもよい。
【００６８】
また動画像生成手段６５は、情報処理装置５０からの送信要求コマンドが表示手段５２に表示する動画として所望の波形（たとえばチャンネル１、チャンネル２の波形）、振幅値または分析値の少なくともいずれかの計測データの動画のみを所望することを示している場合は、それら所望の計測データに基づき動画像データを生成する。
このため、複数の情報処理装置が接続線２０を介して波形測定装置６０と接続されているとき、第１の情報処理装置ではチャンネル１の波形のトレースのみの動画像を表示させ、第２の情報処理装置では、分析値（ほか、メジャー値など）のみの動画像を表示させるような送信要求コマンドを受信すると、動画像生成手段６５は、波形を描画している第１の情報処理装置に向けて生成する動画像データの解像度を向上させて生成する。
これにより、波形表示における必要な解像度を確保することができ表示画面（測定画面）の可読性を向上させることができる。
【００６９】
図２のステップＳＰ２０４において、映像ストリーム生成手段６６は、動画像生成手段６５により生成された動画像データに基づき映像ストリームを生成する。
このとき、映像ストリーム生成手段６６は、動画像データと記憶手段６２に記憶されている音声入力手段６９から音声情報（動画像の音声解説）とを同期させて圧縮し映像ストリームに変換してもよい。
【００７０】
具体的には、映像ストリーム生成手段６６は、情報処理装置５０から受信したビットレート設定情報に示されたビットレートに応じて動画像データを圧縮し、解像度、フレームレート、色数を減じ、たとえばＭＰＥＧなどの動画規格に適合した映像ストリームを生成する。
また、ビットレート設定手段６８が接続線の帯域に応じて動画配信に最適なビットレートを選択し、映像ストリーム生成手段６６に映像ストリームの生成を要求するべくビットレート情報を含む要求情報を送信し、この場合、映像ストリーム生成手段６６は、受信したビットレート設定手段６８からの要求情報に基づき当該ビットレートにより映像ストリームを生成するものでもよい。
【００７１】
たとえば動画像の圧縮には、映像ストリーム生成手段６６は、ＭＰＥＧ２、ＭＰＥＧ４、Ｈ．２６４などを使用するものでもよく、３ＭＢＰＳ、３７５kirobyte/second程度に圧縮し映像ストリームを生成する。
さらに映像ストリーム生成手段６６は、音声入力手段６９を介して入力され記憶手段６２に記憶された音声データをＡＡＣ（Advanced Audio Coding）、ＭＰ３（MPEG Audio Layer-3）などにより圧縮を行なう。
【００７２】
図２のステップＳＰ２０５において、動画配信手段６７は、映像ストリーム生成手段６６により生成された映像ストリームを記憶手段６２に記憶されている情報処理装置５０の識別情報に基づき、通信手段６３を制御して送信する。
波形測定装置６０に付加されている通信手段６３は、接続線２０を介して情報処理装置５０に映像ストリームを送信する。
情報処理装置５０は、接続線２０を介して映像ストリームを受信すると記憶手段５４に（一時）記憶する。
【００７３】
図２のステップＳＰ２０６において、情報処理装置５０の表示手段５２は、受信した映像ストリームに基づき、動画像をモニタなどに表示する。
【００７４】
図２のステップＳＰ２０７において、ユーザーが情報処理装置５０の表示手段５２に映像ストリームの受信停止（動画像の表示の停止）をするための停止リクエスト情報が入力されなければ、ステップＳＰ２０３に戻り、本発明の計測システムは、ステップＳＰ２０３〜ステップＳＰ２０６を繰り返し、波形描画された表示画面を情報処理装置５０が動画像で表示する（表示を継続する）。
一方、ユーザーが情報処理装置５０の表示手段５２に静止画像の表示の停止をするための停止リクエスト情報が入力されるとステップＳＰ２０８に移行する。
【００７５】
図２のステップＳＰ２０８において、情報処理装置５０の演算制御手段５５は、停止リクエスト情報が入力されると送信停止コマンドを生成（発行）し、通信手段５３を制御して接続線２０を介し送信停止コマンドを波形測定装置６０に送信する。
【００７６】
図２のステップＳＰ２０９において、波形測定装置６０の演算制御手段６４は、情報処理装置５０から送信停止コマンドを受信すると、映像ストリーム生成手段６６を制御して映像ストリームの生成を停止する。
【００７７】
この結果、本発明の計測システムは、計測データに基づき波形描画された表示画像の動画像を生成する動画像生成手段と、動画像を圧縮して映像ストリームに変換する映像ストリーム生成手段と、映像ストリームを配信する配信手段を備えたことにより、所定期間における計測結果の時系列データを迅速に表示することができる。
【００７８】
すなわち本発明は、従来技術のように計測結果の波形描画がなされた静止画像を１枚ずつ要求し、表示するのではなく、波形測定装置に記録された計測データを動画像として要求し、表示する、言い換えれば、静止画像を一気に１秒間に３０から６０枚めくる様に要求し、表示することにより、所定期間における計測結果の時系列データの表示の迅速化を図ることができる。
【００７９】
また本発明の計測システムは、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備えたことにより、所定期間における波形測定装置で得られた計測結果の時系列データを離れた場所の端末のモニタに迅速に表示することができる。
また、本発明の計測システムであれば、従来の計測システムでの静止画像の送受による計測結果の取得における送信要求コマンドの生成、伝達に要する無駄な時間を削減することができ、精密に測定結果を把握することが出来る点で有効である。
【００８０】
また本発明の計測システムは、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備え、動画像生成手段は、複数の波形を表示する表示画像を生成し、これらの波形のうち少なくともいずれかのみを動画とする動画像を生成することを特徴とすることにより、波形を描画している情報処理装置の表示画面にて必要な解像度を確保することができ表示画面（測定画面）の可読性を向上させることができる。
具体的には、複数の情報処理装置が接続線２０を介して波形測定装置６０と接続されているとき、第１の情報処理装置ではチャンネル１の波形のトレースのみの動画像を表示させ、第２の情報処理装置では、分析値（ほか、メジャー値など）のみの動画像を表示させることにより、波形を描画している第１の情報処理装置の表示画面にて必要な解像度を確保することができ表示画面（測定画面）の可読性を向上させることができる。
【００８１】
また本発明の計測システムは、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段と、計測手段の周辺の音または動画像の音声解説を入力する音声入力手段を備え、映像ストリーム生成手段は、動画像と音声入力手段により入力された音声とを同期させて圧縮し前記映像ストリームに変換することを特徴とすることにより、ユーザーの解説と動画像を同期して配信することにより遠隔地でモニタしているユーザーの理解を助けることができる点で有効である。
【００８２】
また本発明の計測システムは、計測データに基づき波形描画された表示画像の動画像を生成する動画像生成手段と、動画像を圧縮して映像ストリームに変換する映像ストリーム生成手段と、映像ストリームを配信する配信手段と、電気通信回線を介して受信した映像ストリームに基づき計測結果が波形描画された表示画像を動画で表示する表示手段を備え、映像ストリーム生成手段が接続される通信回線の帯域に応じて予め定められたビットレートで映像ストリームの生成することを特徴とすることにより、より安定した映像ストリーミングコンテンツを視聴することが可能となり、従来のように表示されない時間での波形変化を観測することができず精密に測定結果を把握することが出来ないという問題点を解決できる点で有効である。
【００８３】
また本発明の計測システムであれば、従来の計測システムで送信される１枚１枚の静止画像の画面は波形測定装置で生成された画像とまったく同一の画像が送られ、静止画を送るコマンドを発行して静止画を得るには０．５秒程度を要していたが、上述のような構成とすることにより、静止画の解像度を落とす、色情報を減らす、ある静止画と静止画の差分を取る、などの方法により、動画像を圧縮し、更新周期を１５ミリ秒から３０ミリ秒程度とすることで、従来のように表示されない時間での波形変化を観測することができず精密に測定結果を把握することが出来ないという問題点を解決できる点で有効である。
【００８４】
また本発明の計測システムであれば、今後のハードウェアの進歩により性能向上(ネットワークの速度向上、より大きな画像の処理能力）によっては、更新周期１５ミリ秒で、６４０×４８０程度の解像度であれば１００ＢＡＳＥ−Ｔのイーサネット（登録商標）で動画像データの映像ストリーミングを送信することが可能となり、所定期間における計測結果の時系列データを迅速に表示し、精密に測定結果を把握することが出来る点で有効である。
【００８５】
＜その他の実施例＞
なお、本発明に係る計測システムは波形測定装置６０が映像ストリーム手段６６を具備するものとして＜第１の実施例＞にて説明したが、特にこれに限定するものではなく、映像ストリーム手段６６の機能を有する別の装置、たとえば映像ストリーム装置を具備するものでもよい。この場合、波形測定装置６０には映像ストリーム手段６６が具備されない構成であってもよい。
また、本発明に係る計測システムは、波形測定装置６０が動画配信手段６７を具備するものとして＜第１の実施例＞にて説明したが、特にこれに限定するものではなく、動画配信手段の機能を有する別の装置、たとえば動画配信サーバを具備するものでもよい。この場合、波形測定装置６０には動画配信手段６７が具備されない構成であってもよい。
【００８６】
すなわち本発明に係る計測システムは、測定対象の計測を行う計測手段から取得する計測データに基づいて、波形描画された表示画像を表示し、計測データに応じた制御を行う計測システムにおいて、計測データに基づき波形描画された表示画像の動画像を生成する動画像生成手段を備えたオシロスコープなどの波形測定装置と、動画像を圧縮して映像ストリームに変換する映像ストリーム生成装置と、映像ストリームを配信する動画配信サーバと、を備えたことを特徴とするものでもよい
【００８７】
具体的には計測システムは、波形測定装置６０が広域通信回線を介して前述の映像ストリーム手段６６の機能を有する映像ストリーム生成装置と接続され、映像ストリーム生成装置が広域通信回線を介して前述の動画配信手段６７の機能を有する動画配信サーバと接続される。また動画配信サーバが接続線２０を介して情報処理装置５０と接続される。
映像ストリーム生成装置は、波形測定装置６０の記憶手段６２に記憶されている計測データに基づき生成された動画像データに基づき映像ストリームに変換し動画配信サーバに送信する。
動画配信サーバは、接続線を介して接続される情報処理装置５０の識別情報等を記憶する記憶手段を備えるものであって、波形測定装置６０の映像ストリーム生成手段６６が生成した映像ストリームを情報処理装置５０の識別情報に基づき配信する。
【００８８】
この結果、本発明の計測システムは、計測データに基づき波形描画された表示画像の動画像を生成する動画像生成手段を備えた波形測定装置と、動画像を圧縮して映像ストリームに変換する映像ストリーム生成装置と、映像ストリームを配信する動画配信サーバを備えたことにより、所定期間における計測結果の時系列データを迅速に表示することができる。
【符号の説明】
【００８９】
２０  接続線
５０  情報処理装置
５１  操作手段
５２  表示手段
５３  通信手段
５４  記憶手段
５５  演算制御手段
６０  波形測定装置
６１  計測手段
６２  記憶手段
６３  通信手段
６４  演算制御手段
６５  動画生成手段
６６  映像ストリーム生成手段
６７  動画配信手段
６８  ビットレート設定手段
６９  音声入力手段
【図１】
2011174802.tif 000003
【図２】
2011174802.tif 000004
【図３】
2011174802.tif 000005
【図４】
2011174802.tif 000006